(57)【要約】【課題】  低い水圧で供給される洗浄水によってもボウル全面を確実に洗浄することのできる水洗便器を提供する。【解決手段】  リム（１０）内のリム給水路部（１１）には、洗浄水の流水方向に沿って下方に傾斜する下方傾斜流水路部（３０）が設けられており、この下方傾斜流水路部（３０）の先端に吐水孔（３１）を有する。【選択図】図１
2005307650.tif 000002
【特許請求の範囲】
【請求項１】
リム給水路部には、洗浄水の流水方向に沿って下方に傾斜する下方傾斜流水路部が設けられており、この下方傾斜流水路部の先端に吐水孔を有することを特徴とする水洗便器。
【請求項２】
複数の吐水孔を有する請求項１の水洗便器。
【請求項３】
下方傾斜流水路部が、リム給水路部への後付固定により配設されている請求項１または２の水洗便器。
【請求項４】
下方傾斜流水路部に後付固定されたノズル先端に吐水孔を有する請求項１、２または３の水洗便器。
【発明の詳細な説明】
【技術分野】
【０００１】
この出願の明は、水洗便器に関するものである。さらに詳しくは、この発明は、低い水圧で供給される洗浄水によってもボウル全面を確実に洗浄することのできる新しい水洗便器に関するものである。
【背景技術】
【０００２】
水洗便器におけるボウル面の洗浄方式としては種々のものが知られている。例えば図６に例示したように、便器ボウル面上部に周回するように配置されたリム給水路部（ア）の下面に複数の小吐水孔（イ）と長吐水孔（ウ）を形成し、これらの吐水孔（イ）（ウ）からボウル面（エ）に均一に洗浄水を給水する方式や、図７に例示したように、リム給水路部（ア）の下面を開放形状として、水勢によってボウル面（エ）の全体を洗浄する方式、あるいは図８に例示したように、ボウル面（エ）の上端部後方の一箇所の吐水孔（オ）から高水圧の洗浄水を水平方向に噴出させ、ボウル面（エ）に旋回流水を形成させる方式などが知られている（例えば、特許文献１、２）
【特許文献１】特開２００１−２７９７８８号公報
【特許文献２】特開２００２−１４６８８７号公報
【発明の開示】
【発明が解決しようとする課題】
【０００３】
上記のような従来方式では、水洗便器に直結させた貯水タンクから洗浄水を給水する場合であれば、高い水圧によってボウル面（エ）の全体を洗浄することが可能である。しかしながら、水道管からの給水によって洗浄水を供給する場合には、その水勢は上水道の給水圧に依存するため、例えば上水道の給水圧が低い地域では、各洗浄方式にとっての好ましい給水形態が不可能となる。すなわち、図６、図７の例では、リム給水路（ア）の先端側では水勢が減弱するため、ボウル面（エ）の全体を均一に洗浄することができない。特に、図６に例示したような水洗便器の場合には、個々の吐水孔（イ）（ウ）から順次に洗浄水が排出されるため、供給水圧が低い場合には、圧力損失の度合いが大きく、先端側の吐水孔からは十分な量の洗浄水が排出されないという問題点が存在する。さらに図８の例では、吐水孔（オ）から噴出される洗浄水の水勢が低いため、ボウル面（エ）の全体に旋回流水を形成することが不可能である。
【０００４】
この出願の発明は、以上のとおりの事情に鑑みてなされたものであって、従来技術の問題点を解決し、低水圧の給水によってもボウル面を均一に洗浄することのできる水洗便器を提供することを課題としている。
【課題を解決するための手段】
【０００５】
この出願の発明は、第１には、リム給水路部には、洗浄水の流水方向に沿って下方に傾斜する下方傾斜流水路部が設けられており、この下方傾斜流水路部の先端に吐水孔を有することを特徴とする水洗便器を提供する。
【０００６】
第２には、第１発明において、複数の吐水孔を有する水洗便器を提供する。
【０００７】
第３には、第１および第２発明における下方傾斜流水路部が、リム給水路部への後付固定により配設されている水洗便器を提供する。
【０００８】
第４には、第１から第３発明において、下方傾斜流水路部に後付固定されたノズル先端に吐水孔を有する水洗便器を提供する。
【発明の効果】
【０００９】
前記の第１発明によれば、下方傾斜流水路部先端の吐水孔から洗浄水が排出され、ボウル面で旋回流水が形成される。洗浄水は、リム給水路部の流水エネルギーを損なうことなく下方傾斜流水路部を経由して吐水孔から排出されるため、圧力損失が最小限に抑えられる。このため、低水圧の給水によっても、ボウル面の全体を均一に洗浄することが可能となる。
【００１０】
第２の発明によれば、複数の吐水孔からの洗浄水排出によって、ボウル面全体をより均一に洗浄することが可能となる。特に、この出願の水洗便器においては、複数の吐水孔から順次に洗浄水が排出された場合の圧力損失が少ないため、全ての吐水孔からの洗浄水排出量は略均一である。
【００１１】
第３の発明によれば、より均一サイズで、かつ便器の形状や給水圧に適した孔形状かなる吐水孔を備えた下方傾斜流水路部を有する水洗便器が提供される。
【００１２】
第４発明によれば、便器の形状や給水圧に適した角度で洗浄水を排出することのできる水洗便器が提供される。
【発明を実施するための最良の形態】
【００１３】
以下、添付した図面に沿って実施例を示し、この出願の発明について詳しく説明する。
【００１４】
図１は、この出願によって提供される水洗便器の一実施例を示した斜視図である。この図１に例示した水洗便器においては、リム（１０）の内部にリム給水路部（１１）が設けられており、図中矢印で示した方向に洗浄水が給水される。なお、この洗浄水のリム給水路部（１１）への給水方向は、この図１の例のように両方向に分岐することに限定されるものではなく、例えば特開８−１７７１２２号公報に記載されているように、１方向からリム給水路部（１１）を周回するようにしてもよい。
【００１５】
リム（１０）の下壁（１２）には、図１にも例示したように、洗浄水の流水方向にそって下方に傾斜する傾斜壁（２０）が設けられており、この傾斜壁（２０）の内部には、図２の断面図に例示したような下方傾斜流水路部（３０）が形成されている。すなわち、リム給水路部（１１）内を流れる洗浄水は、図中矢印で示したように、リム給水路部（１１）を水平方向に、また下方傾斜流水路部（３０）を斜め下方向に流れる。
【００１６】
そして、図１および図２に例示したように、傾斜壁（２０）の端部壁面（２１）には吐水孔（２２）が設けられており、下方傾斜流水路部（３０）からの洗浄水がこの吐水孔（３１）からボウル面（５０）へと排出し、矢印で示したような旋回流水としてボウル面（５０）を洗浄する。
【００１７】
すなわち、この出願の発明によって提供される水洗便器においては、リム給水路部（１１）内を流れる洗浄水が、その流水エネルギー（水勢）を損なうことなく下方傾斜流水路部（３０）を流れ、さらにその水勢を保持したまま吐水孔（３１）から排出される。これによって、例えば水道管直結型の水洗便器において、上水道圧が低い場合であっても、好ましい強度の水勢によって洗浄水がボウル面（５０）に排出され、ボウル面（５０）の全体を均一に洗浄することが可能となっている。
【００１８】
また、図１にも例示したように、吐水孔（３１）は、ボウル面（５０）の形状や給水方式、あるいは使用時の給水圧等に応じて複数個とすることも好ましい。
【００１９】
なお、下方傾斜流水路部（３０）を形成するための傾斜壁（２０）の角度や、その端部壁面（２１）の角度や方向、吐水孔（３１）の形状や大きさ等についても、ボウル面（５０）の形状や給水方式、あるいは使用時の給水圧等に応じて適宜とすることができる。例えば、傾斜壁の端部壁面（２１）は、リム給水路部（１１）における流水方向に対して正対する角度であっても良いし、僅かながらこれよりもボウル面（５０）の中心方向を向く角度であってもよい。また、一般に水道圧は地域的な変動が大きいため、水道管直結型の水洗便器の場合には流量調整機構が備わっている。従って、この出願の発明によって提供される水洗便器の場合にも、この流量調整機構による可変範囲の流量にとって最適な構造を採用することができる。
【００２０】
さらに、ボウル面（５０）の形状は適宜であってよいが、例えば、図３に例示したように、吐水孔（４１）から排出される洗浄水の着水面（５１）を略水平面とすることは、ボウル面（５０）のより均一な洗浄のために好ましい。
【００２１】
図４は、この出願によって提供される水洗便器のさらに別の実施例を示した要部断面図である。この図４の例では、別体として成形された流水路部材（６０）を、リム下壁（１２）の開口部（１３）に後付固定するようにしている。すなわち、この図４の例では、流水路部材（６０）の後方二股部（６１）をリム下壁（１２）を嵌合させ、その前方部（６２）をリム下壁（１２）にビス（６３）で固定することによって、流水路部材（６０）を開口部（１３）に固定している。リム給水路部（１１）を流れる洗浄水は、図中矢印で示したように、その水勢が減弱することなく流水路部材（６０）内の下方傾斜流水路部（６４）を流れ、その先端の吐水孔（６５）からボウル面（５０）へと排出される。
【００２２】
この流水路部材（６０）は、例えば、樹脂、金属、セラミックス、それらの複合材、好ましくは硬質ゴムやシリコン等による成型品として均一形状、均一サイズとして製造することができる。すなわち、図１に例示したような陶器製の便器に傾斜壁（２０）や吐水孔（３１）を形成する場合には、製造バラツキによって細かな調製が困難である。図４に例示した水洗便器の場合には、流水路部材（６０）は別体として所望の均一サイズ、均一形状として製造されるため、ボウル面（５０）の形状や給水方式、あるいは使用時の給水圧等に適した下方傾斜流水路部（６４）とその吐水孔（６５）を備えることが可能である。
【００２３】
図５は、この出願によって提供される水洗便器のさらに別の実施例を示した要部断面図である。この図５の例では、傾斜壁（２０）の端部壁面（２１）に形成された吐水孔用の開孔部に別体としてのノズル（７０）が後付固定されており、このノズル（７０）の先端に吐水孔（７１）が設けられている。すなわち、この図５の例では、ノズル（７０）がネジ固定によって開孔部に固定されているが、ノズル（７０）の先端部分は僅かに屈曲しており、吐水孔（７１）からの洗浄水排出方向を微調整することが可能となっている。これによって、図１に例示した水洗便器における製造バラツキ等によって、端部壁面（２１）の角度や方向、あるいは吐水孔（３１）のサイズ、形状に不都合が発生した場合であっても、ノズル（７０）によってそれらの不都合を解消し、最適な状態でボウル面（５０）の均一洗浄が可能となる。なお、このノズル（７０）は、例えば樹脂、金属、セラミックス、硬質ゴム、シリコン、それらの複合体等の成型品等によって構成することができる。
【００２４】
もちろんこの出願の発明は以上の例によって限定されるものではなく、細部の構成等については様々な態様が可能であることは言うまでもない。
【図面の簡単な説明】
【００２５】
【図１】この出願によって提供される水洗便器の一実施例を示した斜視図である。
【図２】図１に例示した水洗便器の要部側断面図である。
【図３】図１に例示した水洗便器の要部正断面図である。
【図４】この出願によって提供される水洗便器の別の実施例を示した要部断面図である。
【図５】この出願によって提供される水洗便器のさらに別の実施例を示した要部断面図である。
【図６】従来の水洗便器の一例を示した平面図である。
【図７】従来の水洗便器の別の例を示した斜視図である。
【図８】従来の水洗便器のさらに別の例を示した要部斜視図である。
【符号の説明】
【００２６】
１０  リム
１１  リム給水路部
１２  リム下壁
１３  開口部
２０  傾斜壁
２１  端部壁面
３０  下方傾斜流水路部
３１  吐水孔
５０  ボウル面
５１  着水面
６０  流水路部材
６１  後方二股部
６２  前方部
６３  ビス
６４  下方傾斜流水路部
６５  吐水孔
７０  ノズル
７１  吐水孔
【図１】
2005307650.tif 000003
【図２】
2005307650.tif 000004
【図３】
2005307650.tif 000005
【図４】
2005307650.tif 000006
【図５】
2005307650.tif 000007
【図６】
2005307650.tif 000008
【図７】
2005307650.tif 000009
【図８】
2005307650.tif 000010